(57)【要約】【課題】履き口のずり落ちを防止可能なニーハイブーツを提供する。【解決手段】履き口１０１が膝から脚つけ根までの間に位置するニーハイブーツにおいて、当該ニーハイブーツの履き口部分に取り付けられ、筒周り方向１０２に沿って延在する帯状形状を有し、締め込むことで上記履き口のずり落ちを防止するずり落ち防止ベルト１１０を備えた。【選択図】図１
2012011117.tif 000002
【特許請求の範囲】
【請求項１】
履き口（１０１）が膝から脚つけ根までの間に位置するニーハイブーツにおいて、当該ニーハイブーツの履き口部分に取り付けられ、筒周り方向（１０２）に沿って延在する帯状形状を有し、締め込むことで上記履き口のずり落ちを防止するずり落ち防止ベルト（１１０）を備えたことを特徴とするニーハイブーツ。
【請求項２】
上記ずり落ち防止ベルトに取り付けられ、上記締め込みを行うバックル（１２０）をさらに備えた、請求項１記載のニーハイブーツ。
【請求項３】
上記バックルは、ベース部材（１２１）と、該ベース部材の端部に回動可能に支持され上記ずり落ち防止ベルトを噛む歯部（１２２ａ）を有するレバー部材（１２２）とを有し、上記レバー部材を開いた状態で上記ベース部材と上記レバー部材との隙間に上記ずり落ち防止ベルトを挿通し、上記レバー部材を閉じて上記歯部と上記ベース部材との間に上記ずり落ち防止ベルトを挟み込み上記締め込みを行う、請求項２記載のニーハイブーツ。
【請求項４】
上記ずり落ち防止ベルトは、伸縮性を有し、上記筒周り方向の複数箇所に設けたベルト通し（１１１）にて当該ニーハイブーツに保持される、請求項１から３のいずれかに記載のニーハイブーツ。
【発明の詳細な説明】
【技術分野】
【０００１】
本発明は、履き口が膝及び膝よりも上に位置するニーハイブーツに関する。
【背景技術】
【０００２】
数年前より特に若い女性の間で、いわゆるニーハイブーツと呼ばれる、履き口が膝から膝よりも少し上までの間に位置するブーツが人気となっている。また、このニーハイブーツよりも、履き口がさらに膝上で腿部分に位置する、いわゆるサイハイブーツと呼ばれるブーツも登場してきている。
【先行技術文献】
【特許文献】
【０００３】
【特許文献１】特開２００９−２６８８６９号公報
【発明の概要】
【発明が解決しようとする課題】
【０００４】
履き口が膝よりも下に位置するような従来のブーツでは、踵からの高さが比較的低いことから、履いているうちに履き口が下にずり落ちてくることは、まず無い。
【０００５】
これに対して上記ニーハイブーツ及び上記サイハイブーツでは、その履き口は、膝部分、及び膝から上の腿部分、さらには太腿部分に位置する。また、脚は、通常、つけ根部分から膝にかけて徐々に細くなっていく。したがって、膝部分、及び膝から上の腿部分、さらには太腿部分に履き口が位置する、ニーハイブーツやサイハイブーツでは、従来のブーツに比べると、履いている内に履き口が下にずり落ちてくることが起こり易い。
【０００６】
また、特に女性は、ファッション性を重視すること、また、ニーハイブーツやサイハイブーツは、脚にフィットしていることで脚が長く見え、ファッションの幅を広げるという特徴を有する。したがって、履き口がずり落ちることは、ファッション性及び上記特徴の低下を招くことから、ニーハイブーツやサイハイブーツにおいては避けねばならない現象であり、ひいてはその売り上げにも影響を来す事象でもある。
【０００７】
本発明はこのような問題点を解決するためになされたもので、履き口のずり落ちを防止可能なニーハイブーツを提供することを目的とする。
【課題を解決するための手段】
【０００８】
上記目的を達成するため、本発明は以下のように構成する。
即ち、本発明の一態様におけるニーハイブーツは、履き口が膝から脚つけ根までの間に位置するニーハイブーツにおいて、当該ニーハイブーツの履き口部分に取り付けられ、筒周り方向に沿って延在する帯状形状を有し、締め込むことで上記履き口のずり落ちを防止するずり落ち防止ベルトを備えたことを特徴とする。
【０００９】
また、上記ずり落ち防止ベルトに取り付けられ、上記締め込みを行うバックルをさらに備えても良い。
【００１０】
また、上記バックルは、ベース部材と、該ベース部材の端部に回動可能に支持され上記ずり落ち防止ベルトを噛む歯部を有するレバー部材とを有し、上記レバー部材を開いた状態で上記ベース部材と上記レバー部材との隙間に上記ずり落ち防止ベルトを挿通し、上記レバー部材を閉じて上記歯部と上記ベース部材との間に上記ずり落ち防止ベルトを挟み込み上記締め込みを行うようにしても良い。
【００１１】
また、上記ずり落ち防止ベルトは、伸縮性を有し、上記筒周り方向の複数箇所に設けたベルト通しにて当該ニーハイブーツに保持するようにしても良い。
【発明の効果】
【００１２】
本発明の一態様におけるニーハイブーツによれば、履き口部分にずり落ち防止ベルトを備えたことで、履き口のずり落ちを防止することができる。したがって、ファッション性の向上、特に脚へフィットさせることで脚が長く見えるという特徴の向上を図ることができる。
【図面の簡単な説明】
【００１３】
【図１】本発明の一実施形態であるニーハイブーツの一例を示す斜視図である。
【図２】図１に示すニーハイブーツに備わるずり落ち防止ベルトの斜視図である。
【図３】図２に示すずり落ち防止ベルトに備わるバックルの斜視図であり、レバーを開いた状態を示す図である。
【図４】図３に示すバックルにおいて、レバーを閉じた状態を示す斜視図である。
【図５】図１に示すニーハイブーツの他の例を示す斜視図である。
【発明を実施するための形態】
【００１４】
本発明の実施形態におけるニーハイブーツについて、図を参照しながら以下に説明する。尚、ファッション界では、上述のようにニーハイブーツとサイハイブーツとを区別しているようであるが、本明細書では、膝から脚のつけ根までの間に履き口が位置するブーツを総括して「ニーハイブーツ」とする。また、各図において、同一又は同様の構成部分については同じ符号を付している。
【００１５】
図１は、本実施形態のニーハイブーツ１００を示す。このニーハイブーツ１００は、上述のように膝から脚のつけ根までの間に履き口が位置するブーツであって、特には、履き口１０１が膝上で腿部分、特に太腿部分に位置するようなブーツである。尚、図１では、踵にヒールを設けたニーハイブーツ１００を示しているが、ヒールの無いデザインであってもよい。また、脱ぎ履きが容易なように、ニーハイブーツ１００の内股側には、例えば、靴底近傍から足首の少し上辺りまでの長さにて、サイドファスナー１０３を設けている。このような形態にてなる本実施形態のニーハイブーツ１００は、ずり落ち防止ベルト１１０を備える。
【００１６】
ずり落ち防止ベルト１１０は、筒周り方向１０２に沿って延在し、例えば約２ｃｍの幅寸法を有する帯状体であり、本実施形態では図２に示すようにニーハイブーツ１００の内側で、履き口部分に取り付けられる。このようなずり落ち防止ベルト１１０は、締め付けが容易になることから、例えばゴム紐のように伸縮性を有するものが好ましいが、これに限定するものではない。また、上記履き口部分とは、履き口１０１と膝に対応する位置との間（これをＡとする）、履き口１０１からＡの半分までの間、履き口１０１からＡの１／３までの間に相当する。より具体的には、履き口１０１の近傍位置で、履き口１０１から靴底へ向かい、例えば０〜１０ｃｍ程度の範囲の位置に相当する。尚、上述のベルト幅及び履き口部分の各寸法は、あくまで一例であり、それらに限定するものではない。特に上記履き口部分に関する寸法は、ニーハイブーツ１００の外側へ履き口１０１を折り返して履くファッション形態もあり、一概に決定することができない。尚、折り返した場合、履き口１０１は、ニーハイブーツ１００から脚が出るところに相当する。
また、ニーハイブーツ１００の内面への、ずり落ち防止ベルト１１０の取り付けは、上記履き口部分にて、筒周り方向１０２の複数箇所、本実施形態では２箇所、に設けたベルト通し１１１にずり落ち防止ベルト１１０を挿通することでなされる。
【００１７】
尚、本実施形態では図示するように、ずり落ち防止ベルト１１０は、ニーハイブーツ１００の内側で筒周り方向１０２に沿って全周にわたり延在するが、これに限定されず、筒周り方向１０２の一部分にのみ設けてもよい。この場合、一例として、２本のずり落ち防止ベルト１１０を設け、各ずり落ち防止ベルト１１０の一端はニーハイブーツ１００の内側に固定される形態を採ることができる。
【００１８】
このように構成されるずり落ち防止ベルト１１０は、締め込むことで、例えば単純にずり落ち防止ベルト１１０の両端部分を結ぶことで、脚にフィットし、ニーハイブーツ１００の履き口１０１のずり落ちを防止する。
【００１９】
さらに、本実施形態のニーハイブーツ１００は、バックル１２０を備えても良い。バックル１２０は、図３及び図４に示すように、ベース部材１２１と、レバー部材１２２とを有し、ずり落ち防止ベルト１１０に取り付けられて、ずり落ち防止ベルト１１０の締め込みを行う部材であり、金属あるいは樹脂材から成型され作製される。
【００２０】
ベース部材１２１は、ずり落ち防止ベルト１１０の幅寸法に対して僅かに広い溝幅を有する溝１２１ａをフランジ１２１ｂ間に形成した断面コ字状の部材である。本実施形態では、ベース部材１２１の長手方向の両端部においてフランジ１２１ｂ間に、それぞれのレバー部材１２２の一端が回動可能に取り付けられる。つまり、レバー部材１２２は、ずり落ち防止ベルト１１０と同程度の幅を有する板状の部材から成形され、レバー部材１２２の長手方向における一端では、レバー部材１２２の幅方向における両縁がベース部材１２１の各フランジに回動可能に支持される。このとき、回動可能に支持されたレバー部材１２２の上記一端と、ベース部材１２１との間には、ずり落ち防止ベルト１１０の厚み程度の隙間１２３が形成されている。よって、この隙間１２３にずり落ち防止ベルト１１０を挿入することができる。また、レバー部材１２２の上記一端には、ベース部材１２１の溝１２１ａへ隙間１２３を通り挿通されたずり落ち防止ベルト１１０を噛む歯部１２２ａが形成されている。
【００２１】
このようなバックル１２０を利用して、以下のように、ずり落ち防止ベルト１１０の締め込みを行うことができる。即ち、図３に示すように、レバー部材１２１を開いた状態で、ベース部材１２１の両端に存在するベース部材１２１とレバー部材１２２との隙間１２３へ、それぞれずり落ち防止ベルト１１０の一端及び他端を挿通する。次に、ずり落ち防止ベルト１１０が脚にフィットするように、ずり落ち防止ベルト１１０の少なくとも上記一端及び他端を引っ張った後、図４に示すように、各レバー部材１２２を閉じる。レバー部材１２２を閉じることで、レバー部材１２２の歯部１２２ａとベース部材１２１との間にずり落ち防止ベルト１１０が挟み込まれ、上記締め込みを行うことができる。
【００２２】
尚、本実施形態では、バックル１２０は、その両端部にレバー部材１２２を設けているが、いずれか一端部にのみ、一つのレバー部材１２２を設けて構成してもよい。この場合、レバー部材１２２を設けていないバックル１２０の他端部には、ずり落ち防止ベルト１１０が固定されている。
【００２３】
以上のような構成を有するニーハイブーツ１００では、履き口１０１を例えば腿部分まで上げて履いた後、上述のようにバックル１２０を利用してずり落ち防止ベルト１１０の長さを調整してずり落ち防止ベルト１１０を脚にフィットさせる。これにより、履き口１０１がずり落ちることが防止できる。また、脱ぐときには、バックル１２０のレバー部材１２２を開いてずり落ち防止ベルト１１０を緩めればよい。
【００２４】
上述した本実施形態のニーハイブーツ１００では、図１に示すように、ずり落ち防止ベルト１１０はニーハイブーツ１００の内側に取り付けた形態である。しかしながらこれに限定されず、図５に示すニーハイブーツ１０５のように、外側に、ずり落ち防止ベルト１１０、さらにはバックル１２０を設けても良い。この場合、ずり落ち防止ベルト１１０及びバックル１２０は、上述と同機能を有するが、ニーハイブーツ１０５の外観をも構成することから、図１に示す形態に比べてファッション性に富むものが好ましい。
【産業上の利用可能性】
【００２５】
本発明は、履き口が特に膝よりも上に位置するニーハイブーツに適用可能である。
【符号の説明】
【００２６】
１００…ニーハイブーツ、１０１…履き口、１０２…筒周り方向、
１１０…ずり落ち防止ベルト、１１１…ベルト通し、
１２０…バックル、１２１…ベース部材、１２２…レバー部材、１２２ａ…歯部。
【図１】
2012011117.tif 000003
【図２】
2012011117.tif 000004
【図３】
2012011117.tif 000005
【図４】
2012011117.tif 000006
【図５】
2012011117.tif 000007